(57)【要約】【課題】  アレルギー因子や化学物質に過敏な人をはじめ、細菌感染、インフルエンザ、花粉アレルギーを予防しようとする人に対応できる抗アレルギー、抗菌、抗インフルエンザ、抗花粉症対応のマスクを得ようとするものである。【解決手段】  ササ樹液成分とドクダミ成分を含浸した不織布等の布状コア体と、該布状コア体を包み込む１枚以上の被覆体と、該被覆体の両側に取り付けた一対の耳掛けバンド部とから成る。【選択図】  図３
2006055320.tif 000002
【特許請求の範囲】
【請求項１】
ササ樹液成分とドクダミ成分を含浸した不織布等の布状コア体と、
該布状コア体を包み込む１枚以上の被覆体と、
該被覆体の両側に取り付けた一対の耳掛けバンド部と
から成ることを特徴とする抗アレルギー、抗菌、抗インフルエンザ、抗花粉症対応のマスク。
【請求項２】
前記ササ樹液成分とドクダミ成分の配合比を略９９〜９０対１〜１０とした請求項１記載の抗アレルギー、抗菌、抗インフルエンザ、抗花粉症対応のマスク。
【請求項３】
前記ササ樹液成分は、チシマザサ樹液である請求項１記載の抗アレルギー、抗菌、抗インフルエンザ、抗花粉症対応のマスク。
【発明の詳細な説明】
【技術分野】
【０００１】
本発明は、抗アレルギー、抗菌、抗インフルエンザ、抗花粉症の対策に有効なマスクに関するものである。
【背景技術】
【０００２】
従来、鼻や口の前を覆うマスクとして、実公昭３６−２８８９３号公報、実公昭５４−３５９５号公報、実公昭５７−４６９８９号公報、実公平６−１７０９号公報、実用新案登録第３０４３７３３号公報、特開平１０−３３７０１号公報、特開平１１−１９２３８公報、特開平１１−１９９４０３号公報、特開平１１−３３２９６２公報、特開２０００−２８８１０８公報、実用新案登録第３０９８１６５号公報など色々な効能を目的としたマスクが提案されている。
【０００３】
以上のような従来のマスクは、
１．ハッカ、メントール、アルコール、揮発性の清涼剤、揮発性の抗菌剤などを使用した実公昭３６−２８８９３号公報、実公昭５４−３５９５号公報、実公平６−１７０９号公報、特開平１０−３３７０１号公報、特開平１１−１９９４０３号公報
２．金属芯材、銀メッキ処理、金属蒸着、微粒子金属を定着した繊維を素材にした銀フィルターなどの金属を使用した実公昭５７−４６９８９号公報、特開平１１−１９２３８公報、特開２０００−２８８１０８公報、実用新案登録第３０９８１６５号公報
３．防カビや抗菌剤、光触媒部材からなるフィルター等の化学反応を利用した実用新案登録第３０４３７３３号公報、特開平１１−３３２９６２公報
などに大別される。
【０００４】
上記の１．ハッカ、メントール、アルコール、揮発性の清涼剤、揮発性の抗菌剤などを使用したもの、２．金属を使用したもの、及び、３．化学物質や化学反応を利用したものなどはいずれもアレルギー因子や化学物質を含み、そのためにアレルギー反応を引き起こしやすいことが知られている。
【特許文献１】実公昭３６−２８８９３号公報
【特許文献２】実公昭５４−３５９５号公報
【特許文献３】実公昭５７−４６９８９号公報
【特許文献４】実公平６−１７０９号公報
【特許文献５】実用新案登録第３０４３７３３号公報
【特許文献６】特開平１０−３３７０１号公報
【特許文献７】特開平１１−１９２３８公報
【特許文献８】特開平１１−１９９４０３号公報
【特許文献９】特開平１１−３３２９６２公報
【特許文献１０】特開２０００−２８８１０８公報
【特許文献１１】実用新案登録第３０９８１６５号公報
【発明の開示】
【発明が解決しようとする課題】
【０００５】
本発明は、アレルギー因子や化学物質に過敏な人をはじめ、細菌感染、インフルエンザ、花粉アレルギーを予防しようとする人に対応できる抗アレルギー、抗菌、抗インフルエンザ、抗花粉症対応のマスクを得ようとするものである。
【課題を解決するための手段】
【０００６】
本発明のアレルギー、抗菌、抗インフルエンザ、抗花粉症対応のマスクは、以上の如き観点に鑑みてなされたものであって、その主たる構成は、ササ樹液成分とドクダミ成分を含浸した不織布等の布状コア体と、該布状コア体を包み込む１枚以上の被覆体と、該被覆体の両側に取り付けた一対の耳掛けバンド部とから成るものである。
【０００７】
その場合、前記ササ樹液成分とドクダミ成分の配合比は、略９９〜９０対１〜１０が好適である。
【０００８】
そして、前記ササ樹液成分としては、例えば、チシマザサ樹液成分を採用するものである。
【発明を実施するための最良の形態】
【０００９】
以下、本発明の一実施例を図面を参照しながら説明する。
まず、ササ樹液成分とドクダミ成分配合を以下の通り試作した。
【００１０】
ササ樹液成分とドクダミ成分配合試作
ドクダミ成分  PH 5.22  Brix（糖度） 8.7
Ｋ-2          PH 3.97
ＮＫ-2        PH 3.11
ＮＫ-3        PH 3.92  Brix 29.7
2006055320.tif 000003
【００１１】
以上の試料を基に抗インフルエンザ活性試験を行った。
材料および方法
［試料］
ササ樹液成分・ドクダミ成分配合試料No.4……試料１
ササ樹液成分・ドクダミ成分配合試料No.3……試料２
ササ樹液成分・ドクダミ成分配合試料No.2……試料３
ササ樹液成分・ドクダミ成分配合試料No.1……試料４
［材料］
細          胞：  ＭＤＣＫ細胞（イヌ腎臓由来株化細胞）
ウ  イ  ル  ス：  インフルエンザウイルスA/PR/8/34(HINI亜型)(Ａソ連型)
細胞増殖用培地：  ＭＥＭ＋10%ＦＢＳ＋ＰＣ／ＳＭ／amphotericinＢ
感 染 用 培 地：  ＭＥＭ＋0.2%ＢＳＡ＋gentamicin(50μg/ml)＋acetytrypsin(3μ           
g/ml)
［方法］
ＭＤＣＫ細胞を細胞増殖用培地で3.0×10５/mlとし、96穴組織培養プレートに100μl/well播いた。
37℃、5%CO２下で２日間培養し、細胞をconfluentにした。
細胞をPBSで洗浄した。
細胞にウイルスと試料を添加した(200μl/well)。
37℃、5%CO２下で３日間感染させた。
培養上清についてはインフルエンザウイルスの持つシアリダーゼ活性によりウイルス量を定量した。
細胞はPBSで洗浄して変性した細胞を除去後、MTT/PBS溶液(ｌ mg/ml)を100μl/well添加し、37℃に２時間置いた。
MTT溶液を吸引除去後、0.04N HCl含有イソプロパノールを100μl/well添加して細胞と生成したホルマザンを溶解し、水を100μl/well加えた。
吸光度(570nm)を測定した。
試料及びウイルス無添加の吸光度を100%として細胞の生存率を算出した。
［結果と考察］
サンプルの添加濃度（最終濃度）は原液の0.625、1.25、2.5、5、10%の５濃度を用いた。
図１および図２に示すように試料１では2.5%以上の濃度で全ての細胞が死滅し、MDCK細胞に対しても強い毒性が認められた。従って試料１で認められたウイルス増殖の抑制は細胞毒性のためであると考えられる。
試料２及び試料３は10%においてのみ弱い細胞毒性を示したが、試料４は検討した濃度では細胞毒性を示さなかった。
試料２、試料３及び試料４は濃度依存的なウイルス増殖の抑制及び細胞生存率の改善作用を示したが、試料４の活性は試料２及び試料３に比べ弱かった。
少なくとも試料２、試料３は培養細胞を用いた系で抗インフルエンザウイルス活性を有することが示された。
［要約］
試料１−４の抗インフルエンザ活性試験を行った。あらかじめ培養してあるMDCK細胞（イヌ腎臓由来株化細胞）にインフルエンザウイルスと試料添加し３日後にウイルスの増殖をシアリダーゼ活性を指標として測定した。細胞の増殖はMTTアッセイで評価した。
その結果、試料１−３は濃度が高いと細胞毒性を示した。細胞毒性を示さない濃度で、抗インフルエンザ活性を見たところ、試料２、試料３及び試料４は濃度依存的なウイルス増殖の抑制及び細胞生存率の改善作用を示した。特に試料３では比較的効果的であった。
【００１２】
以上の例は、抗インフルエンザウイルス活性について示したが、それらの配合比を略９９〜９０対１〜１０の範囲で配合すると、抗アレルギーや抗菌に効果があり、抗花粉症に対しても極めて有効に作用することが見いだされた。
【００１３】
前記ササ樹液成分とドクダミ成分はともに自然界に存在する植物から抽出された成分であるから、健常人に対してはもとよりアレルギー体質の人にも悪影響を与える虞がなく、それを使用した本発明によるマスクは、それを着用した人の健康保全に極めて著効である。
【００１４】
図３は、本発明によるマスクの構成の一例を示す一部破断斜視図であって、上記の通りに配合したササ樹液成分とドクダミ成分の混合液を、適当な大きさの不織布等の布状コア体１に含浸して乾燥し、それを１枚以上の被覆体２で包み込んである。該被覆体２の両側にはそれぞれゴム紐などの伸縮に富む柔らかな耳掛けバンド部３が取り付けられている。
【００１５】
この場合、前記ササ樹液成分は、例えばチシマザサ樹液成分が好適である。
【００１６】
尚、前記ササ樹液成分とドクダミ成分の混合液はうがい溶液として利用可能である。
【図面の簡単な説明】
【００１７】
【図１】ウイルス増殖に対する作用を示す表であって、ウイルス液に添加した試料の含量(%)に対するインフルエンザウイルス増殖率(%)を示してある。
【図２】ウイルスの細胞変性効果に対する作用を示す表であって、ウイルス液に添加した試料の含量(%)に対する細胞の生存率(%)を示してある。ウイルス無添加の細胞の生存率は細線で示し、ウイルスを添加した場合は太線で示してある。  試料１では低濃度でも細胞の増殖を抑制している。試料３の５％および１０％濃度でウイルスによる細胞の変性はウイルス無添加とほぼ同程度の効果がある。
【図３】本発明の一実施例に係るマスクの構成を示す一部破断斜視図である。
【符号の説明】
【００１８】
１  不織布等の布状コア体
２  被覆体
３  耳掛けバンド部
【図１】
2006055320.tif 000004
【図２】
2006055320.tif 000005
【図３】
2006055320.tif 000006